(57)【特許請求の範囲】
【請求項１】
回転駆動力を付与されて回転することによって用紙を巻き付ける基体と、
前記基体に巻き付けられる用紙の始端側を固定する固定部と、
前記基体の一側方で、当該一側方から他側方に向かう用紙引き抜き方向に向けて所定移動量の範囲内で移動自在に保持され、前記基体に巻き付け保持される用紙の一端面が対向配置される位置に位置付けられる押圧部と、
前記押圧部を前記用紙引き抜き方向と反対方向に付勢する弾性部材と、
前記押圧部の一部に設けられて前記用紙引き抜き方向への押圧操作を受け付け、当該押圧操作に応じて前記押圧部を前記弾性部材の付勢力に抗して前記用紙引き抜き方向へ移動させる操作部と、
を備える用紙巻取りリール。
【請求項２】
前記基体は、前記一側方からその軸方向に延びる複数個の溝を備える円筒状に形成され、
前記押圧部は、前記基体の内部にスライド自在に収容される基部と、当該基部から放射方向に延出して前記溝を通り抜ける押圧体と、を有する、
請求項１記載の用紙巻取りリール。
【請求項３】
前記操作部は、前記基部の前記基体の内部にスライド自在に収容される部分と反対側の端部に設けられている、請求項２記載の用紙巻取りリール。
【請求項４】
前記操作部を露出させる露出窓を有し、前記基体の前記一側方に前記押圧部よりも外側に取り付けられたフランジを備える、請求項３記載の用紙巻取りリール。
【請求項５】
前記固定部は、前記基体の前記他側方の側を自由端として前記一側方の側で片持ちされた挟持部材によって形成されている、請求項１ないし４のいずれか一記載の用紙巻取りリール。
【発明の詳細な説明】
【技術分野】
【０００１】
本発明は、ジャーナル用紙のような長尺状の用紙を巻き取って保持する用紙巻取りリールに関する。
【背景技術】
【０００２】
ジャーナルプリンタでは、印字済みのジャーナル用紙を巻き取る用紙巻取りリールが設けられている。用紙巻取りリールは、回転駆動力を付与されて回転することによって用紙を巻き付ける構造となっている。このため、ジャーナル用紙の交換に際しては、用紙巻取りリールから巻き取ったジャーナル用紙を取り外す必要がある。
【０００３】
ところが、用紙巻取りリールにはジャーナル用紙が幾重にも巻き付いているため、用紙巻取りリールに対するジャーナル用紙の巻き付き力が強固となり、その取り外し作業に際して強い力を要するという問題がある。
【０００４】
特許文献１には、例えばジャーナル用紙の両端に装着される一対の巻芯を近接離反自在に保持し、ジャーナル用紙の着脱に際してそれらの巻芯を離反させるようにした発明が記載されている。このような構造のものでは、一対の巻芯を離反させるだけでジャーナル用紙を容易に着脱することが可能となる。
【０００５】
【特許文献１】特開平１１−２１７１３８号
【発明の開示】
【発明が解決しようとする課題】
【０００６】
特許文献１に記載された発明によれば、強い力を要することなく印字済みのジャーナル用紙を容易に取り外すことが可能となる。しかしながら、構造が大掛かりになり、装置も大型化する。このため、回転駆動力を付与されて回転することによって用紙を巻き付けるような簡単な構造の用紙巻取りリールの使用が望ましいが、このような構造の用紙巻取りリールでは、前述したように、用紙の取り外しに際してどうしても強い力が必要となり、その作業性が良好でない。特に、会計処理中にジャーナル用紙を交換しなければならない必要性が生じた場合には、印字済みのジャーナル用紙の交換作業性の悪さからその作業に手間取り、会計中の顧客を待たせてサービスの低下を招くことになり、店舗イメージが悪化してしまう可能性がある。
【０００７】
本発明の目的は、強い力を要することなく印字済みのジャーナル用紙を容易に取り外すことができる用紙巻取りリールを得ることである。
【課題を解決するための手段】
【０００８】
本発明は、回転駆動力を付与されて回転することによって用紙を巻き付ける基体と、前記基体に巻き付けられる用紙の始端側を固定する固定部と、前記基体の一側方で、当該一側方から他側方に向かう用紙引き抜き方向に向けて所定移動量の範囲内で移動自在に保持され、前記基体に巻き付け保持される用紙の一端面が対向配置される位置に位置付けられる押圧部と、前記押圧部を前記用紙引き抜き方向と反対方向に付勢する弾性部材と、前記押圧部の一部に設けられて前記用紙引き抜き方向への押圧操作を受け付け、当該押圧操作に応じて前記押圧部を前記弾性部材の付勢力に抗して前記用紙引き抜き方向へ移動させる操作部と、を備える。
【発明の効果】
【０００９】
本発明によれば、操作部に対する押圧操作によって押圧部を用紙引き抜き方向に移動させることができ、これにより、強い力を要することなく印字済みのジャーナル用紙を容易に取り外すことができる。
【発明を実施するための最良の形態】
【００１０】
本発明の実施の一形態を図１ないし図７に基づいて説明する。本実施の形態は、ジャーナル用紙である用紙Ｐ（図７及び図９参照）に対して商品販売データ処理情報を記録するジャーナルプリンタ（図示せず）への適用例である。
【００１１】
図１は、用紙巻取りリールの全体の斜視図である。用紙巻取りリール１０１は、回転駆動力を付与されて回転することによって用紙Ｐを巻き付ける円筒状の基体１０２を基本構成として有している。基体１０２は、その外周面の一部に当該基体１０２に巻き付けられる用紙Ｐの一端側を固定する固定部１０３を有している。また、基体１０２の一側方Ａには、この一側方Ａから他側方Ｂに向かう用紙引き抜き方向（図１〜図２、図７及び図９中、矢印Ｃで示す）に向けて移動自在の押圧部１０４がスライド移動自在に取り付けられている。押圧部１０４は、基体１０２に巻き付け保持される用紙Ｐの一端面Ｐ１が対向配置される位置に位置付けられている。更に、基体１０２には、その一側方Ａに円盤状のフランジ１０５が取り付けられている。フランジ１０５は、押圧部１０４よりも外側に取り付けられている。
【００１２】
図２は、図１とは反対の方向からみた用紙巻取りリール１０１の全体の斜視図である。フランジ１０５は、その中心に中心孔１０６を有し、この中心孔１０６から基体１０２の一側方Ａの部分を突出させている。当該基体１０２の突出部分には、操作部１０７が覗いている。この操作部１０７は、押圧部１０４の一部に設けられたものであり、一側方Ａから他側方Ｂに向かう用紙引き抜き方向（図１〜図２、図７及び図９中、矢印Ｃで示す）への押圧操作を受け付け、当該押圧操作に応じて押圧部１０４を用紙引き抜き方向へ移動させる。フランジ１０５に形成された中心孔１０６は、基体１０２に対するフランジ１０５の取り付けを実現させるという役割の他、操作部１０７を露出させる露出窓としての役割をも担っている。
【００１３】
図３は、各部を分解した縦断側面図である。用紙巻取りリール１０１は、基体１０２の一側方Ａに押圧部１０４とフランジ１０５とが順に装着されることによって形成されている。以下、図３も参照しながら、基体１０２、押圧部１０４、フランジ１０５について詳細に説明する。
【００１４】
図４は、基体１０２の斜視図である。基体１０２は、樹脂モールドによる略円筒状に形成された部材である。基体１０２は、その一側方Ａと他側方Ｂとに同一径の支持リング１０８を有している。これらの支持リング１０８は、ジャーナルプリンタが有する用紙巻取りリール１０１の支持部（図示せず）、例えば一対のＵ字溝に回転自在に嵌合し、そのような支持部に対する用紙巻取りリール１０１の支持に供される。
【００１５】
基体１０２の一側方Ａには、支持リング１０８よりも内側に位置させてフランジ取り付け用のネジ部１０９が形成されている。このネジ部１０９は、支持リング１０８よりは大径で基体１０２の外周面よりは小径に形成されている。したがって、ネジ部１０９と基体１０２の外周面との間にはリング状に段部１１０が形成されている。この段部１１０は、ネジ部１０９と基体１０２の外周面との間を直角に連結させる。
【００１６】
また、基体１０２の一側方Ａには、その端部から軸方向に延びる四つの溝１１１が形成されている。これらの溝１１１は、基体１０２の一側方Ａを正面から見た場合、十字形状の部材を基体１０２の中央方向に向けて移動させ得るように交差して形成されている。
【００１７】
さらに、基体１０２に形成された固定部１０３は、基体１０２の他側方Ｂの側を自由端として一側方Ａの側で片持ちされた一対の挟持部材１１２によって形成されている。このような挟持部材１１２の構造については、図３に示されている。つまり、図３に示すように、基体１０２は、挟持部材１１２の部分で、小径部分ＳＤと大径部分ＬＤとが基体１０２の一側方Ａで連結された二重構造をなしており、大径部分ＬＤが挟持部材１１２とされている。大径部分ＬＤは、挟持部材１１２が設けられていない基体１０２の外周部分と同一径に形成されており、挟持部材１１２が設けられていない基体１０２の外周部分とは二筋のスリット１１３で区切られている。また、小径部分ＳＤと大径部分ＬＤとは、共に、用紙巻取りリール１０１と平行に配列され、他側方Ｂの側に形成された自由端側で外周方向に拡開している。
【００１８】
図５は、押圧部１０４の斜視図である。基体１０２の内部には基体孔１１４が形成されている（図３参照）。押圧部１０４は、基体１０２の一側方Ａから基体孔１１４に嵌合する基部１１５と、この基部１１５から放射状に延出する押圧体１１６とが一体成形された樹脂モールド品である。基部１１５は、深さが深いキャップ形状をしており、一端開口の基部孔１１７を有している（図３参照）。基部１１５における基部孔１１７が開口していない方の端部が前述した操作部１０７となっている。押圧体１１６は、基部１１５から十字形状に延出しており、基部１１５が基体孔１１４に嵌合した状態で基体１０２に形成された四つの溝１１１を通り抜けるように形成されている。
【００１９】
基体１０２の内部に形成された基体孔１１４は、隔壁１１８によって一側方Ａの側と他側方Ｂの側とで仕切られている（図３参照）。一側方Ａの側の基体孔１１４には、隔壁１１８より案内ピン１１９が立設されている。この案内ピン１１９は、基体１０２の一側方Ａから基体孔１１４に嵌合した押圧部１０４の基部孔１１７との間で嵌合状態を維持し得る径及び長さで形成されている。
【００２０】
図３に示すように、基体１０２の一側方Ａから基体孔１１４に押圧部１０４の基部１１５を嵌合させるに際して、弾性部材としてコイルスプリング１２０が装着される。このコイルスプリング１２０は、隔壁１１８と基部１１５との間に圧縮状態で保持される（図８及び図９参照）。
【００２１】
図６は、図１と同一の方向から見たフランジ１０５の斜視図である。フランジ１０５に形成された中心孔１０６には、雌ネジ１２１が切られている。雌ネジ１２１は、基体１０２に形成されたネジ部１０９に螺合する形状に形成されている。このようなフランジ１０５は、凹部１２２を有し、深さが浅いキャップ形状をしている。凹部１２２の底部をなす部分の厚みは、ネジ部１０９の軸方向長さと略同一の長さである。このようなフランジ１０５の底部には、四つの孔１２３が空けられている。
【００２２】
図７は、図６とは反対の方向から見たフランジ１０５の斜視図である。前述したように、図６は、図１と同一の方向からフランジ１０５を見ている。この方向は、押圧部１０４の押圧体１１６に対面する側からフランジ１０５を見る方向である。したがって、図７は、図２と同一の方向、つまり、押圧部１０４の押圧体１１６に対面する側の裏面側からフランジ１０５を見ている。この方向から見たフランジ１０５は、平面状に形成されている。
【００２３】
したがって、用紙巻取りリール１０１を組み立てるには、図３に示すよう、基体１０２の一側方Ａからコイルスプリング１２０を介して押圧部１０４の基部１１５を基体孔１１４に嵌合させる。この際、基体１０２の側に設けられた案内ピン１１９が基部１１５の基部孔１１７に嵌め込まれる。この状態で、フランジ１０５の中心孔１０６に形成された雌ネジ１２１を基部１１５に形成されたネジ部１０９に螺合し、フランジ１０５を基体１０２に装着する。この際、フランジ１０５の底部が基体１０２の段部１１０に当接した位置で、フランジ１０５は基部１１５に締結される。これにより、用紙巻取りリール１０１の組み立てが完了する。
【００２４】
図８は、用紙巻取りリール１０１の全体の縦断側面図である。図８に示すように、押圧部１０４を構成する基部１１５の一端側に形成された操作部１０７は、基体１０２の一側方Ａに設けられた支持リング１０８に嵌合し、これらの操作部１０７と支持リング１０８とのそれぞれの端部は同一面内に位置付けられる。
【００２５】
押圧部１０４を構成する基部１１５の他端側は、基体１０２に設けられた基体孔１１４内の隔壁１１８に対して所定の距離をもって対向配置されている。このような基部１１５の他端側と隔壁１１８との間の隙間に配置されたコイルスプリング１２０は、更に圧縮される余地をもって圧縮状態に維持されている。したがって、押圧部１０４は、基体１０２の一側方Ａに向けて付勢された状態となり、押圧体１１６がフランジ１０５の底面に当接することによって位置決めされている。また、押圧部１０４は、その基部１１５が隔壁１１８の方向に近接する方向、つまり、基体１０２の他側方Ｂに向けて移動自在であり、この移動に伴い押圧体１１６も基体１０２の他側方Ｂに向けて移動自在である。この際の移動量は、コイルスプリング１２０が圧縮される余地がなくなることによって定められる。
【００２６】
挟持部材１１２は、押圧体１１６に至るまで形成されている。したがって、挟持部材１１２に始端側が固定される用紙Ｐは、その一端面Ｐ１が押圧体１１６に接触する状態で用紙巻取りリール１０１に巻き取られる。
【００２７】
このような構成において、図示しないジャーナルプリンタに用紙巻取りリール１０１を装着するには、まず、ジャーナル用紙である用紙Ｐの始端側を基体１０２の外周面に形成されたスリット１１３に挿入する。これにより、用紙Ｐの始端側は、用紙巻取りリール１０１における小径部分ＳＤと大径部分ＬＤとの間、つまり、挟持部材１１２の部分に挟持される。この際、用紙Ｐは、挟持部材１１２の部分に屈曲状態で挟まるので、抜け落ちる方向には摺動抵抗を受ける。このため、用紙Ｐは、用紙巻取りリール１０１における小径部分ＳＤと大径部分ＬＤとの間の隙間に圧接状態で挟持されている必要はない。この状態では、ジャーナルプリンタが有する用紙巻取りリール１０１の支持部（図示せず）、例えば一対のＵ字溝に一対の基体１０２の両端に設けられた支持リング１０８を回転自在に嵌合させる。これにより、ジャーナルプリンタに対する用紙巻取りリール１０１の装着作業が完了する。
【００２８】
ジャーナルプリンタに装着された用紙巻取りリール１０１は、用紙Ｐの巻き取り方向に回転駆動されなければならない。そのために、一例として、用紙巻取りリール１０１の他側方Ｂの側に位置する基体孔１１４に図示しない従動ギヤを圧入する。この場合、従動ギヤの回転中心と用紙巻取りリール１０１とが一致するよう各部を構成する。これにより、図示しない駆動源からの駆動力を例えばギヤ列を介して従動ギヤに伝達し、用紙巻取りリール１０１を回転駆動することができる。
【００２９】
用紙巻取りリール１０１は、回転駆動されることによって、用紙Ｐを巻き取る。図８中、一点差線で示す部分は、用紙巻取りリール１０１に巻き取られた用紙Ｐを仮想的に示している。図８に示すように、用紙Ｐは、その一端面Ｐ１が押圧体１１６に接触する状態で用紙巻取りリール１０１に巻き取られる。これは、前述したように、挟持部材１１２が押圧体１１６に至るまで形成されているからである。これにより、用紙Ｐは、その一端面Ｐ１が押圧体１１６及びフランジ１０５に案内されることになる。
【００３０】
図９は、用紙引き抜き状態を示す用紙巻取りリール１０１の全体の縦断側面図である。ジャーナルプリンタに装着された用紙Ｐが用紙巻取りリール１０１に巻き取られて印字済みとなった場合、用紙巻取りリール１０１から巻き取った用紙Ｐを取り外す必要がある。この際、図９に示すように、例えば指などで操作部１０７を押圧する。すると、押圧部１０４が基体１０２の他側方Ｂに向けて移動し、これに伴い押圧部１０４に設けられた押圧体１１６が用紙Ｐの一端面Ｐ１を押圧し、基体１０２の外周面に巻き付いた用紙Ｐを他側方Ｂに向けてスライド移動させる。これにより、用紙Ｐは基体１０２から外れ易くなり、用紙巻取りリール１０１から容易に取り外すことが可能となる。したがって、本実施の形態の用紙巻取りリール１０１によれば、強い力を要することなく、印字済みのジャーナル用紙である用紙Ｐを容易に取り外すことができる。
【図面の簡単な説明】
【００３１】
【図１】本発明の実施の一形態を示す全体の斜視図である。
【図２】図１とは反対の方向からみた全体の斜視図である。
【図３】各部を分解した縦断側面図である。
【図４】基体の斜視図である。
【図５】押圧部の斜視図である。
【図６】図１と同一の方向から見たフランジの斜視図である。
【図７】図６とは反対の方向から見たフランジの斜視図である。
【図８】全体の縦断側面図である。
【図９】用紙引き抜き状態を示す全体の縦断側面図である。
【符号の説明】
【００３２】
１０２  基体、１０３  固定部、１０４  押圧部、１０５  フランジ、１０６  中心孔（露出窓）、１０７  操作部、１１１  溝、１１２  挟持部材、１１５  基部、１１６  押圧体、１２０  コイルスプリング（弾性部材）、Ｐ  用紙、Ｐ１  用紙の一端面
【図１】
0004684846.tif 000002
【図２】
0004684846.tif 000003
【図３】
0004684846.tif 000004
【図４】
0004684846.tif 000005
【図５】
0004684846.tif 000006
【図６】
0004684846.tif 000007
【図７】
0004684846.tif 000008
【図８】
0004684846.tif 000009
【図９】
0004684846.tif 000010